(57)【要約】  表示制御装置は、表示部で表示される画像を制御する。表示制御装置は、第１の画像及び第１の画像に重畳した第２の画像を含む画像を生成して表示部に表示させる制御部を備える。制御部は、第１のモードに設定されているときは、第１の画角の第１の画像を表示部に表示するよう制御し（図１１（Ａ）（Ｂ））、第２のモードに設定されているときは、第１の画角よりも広角な第２の画角の第１の画像を表示部に表示するよう制御する（図１１（Ｃ）（Ｄ））。第２のモードは、第２の画角の第１の画像の領域中における第２の画像の領域を設定するためのモードである。
2014010170.tif 000002
【特許請求の範囲】
【請求項１】
表示部で表示される映像を制御する表示制御装置であって、
第１の画像及び前記第１の画像に重畳した第２の画像を含む画像を生成して前記表示部に表示させる制御部を備え、
前記制御部は、
第１のモードに設定されているときは、第１の画角の前記第１の画像を前記表示部に表示するよう制御し、
第２のモードに設定されているときは、前記第１の画角よりも広角な第２の画角の前記第１の画像を前記表示部に表示するよう制御し、
前記第２のモードは、前記第２の画角の前記第１の画像の領域中における前記第２の画像の領域を設定するためのモードである、
表示制御装置。
【請求項２】
前記第１のモードにおいて、前記制御部は、前記第１の画角で表示された前記第１の画像に、前記第２のモードにおいて設定された前記第２の画像を合成した画像を前記表示部に表示させる、
請求項１に記載の表示制御装置。
【請求項３】
撮像装置と通信を行う通信部をさらに備え、
前記第１の画像は、前記撮像装置で撮像され、前記通信部を介して前記撮像装置から受信した画像であり、
前記制御部は、前記第１のモードから前記第２のモードに切り替えられたときに、前記通信部を介して前記撮像装置に対して、前記第２の画角で画像を撮像するよう指示を送信する、
請求項１または２に記載の表示制御装置。
【請求項４】
前記制御部は、前記第２の画角で撮像された前記第１の画像を、前記通信部を介して前記撮像装置から受信する、
請求項３に記載の表示制御装置。
【請求項５】
前記第１の画像及び前記第２の画像は、撮像装置により撮像された画像の全領域の一部を切り出した画像である、
請求項１または２に記載の表示制御装置。
【発明の詳細な説明】
【技術分野】
【０００１】
本開示は、ＰｉｎＰ（Picture in Picture）機能を有する表示制御装置に関する。
【背景技術】
【０００２】
一の画像中に別の画像を表示するＰｉｎＰ（Picture in Picture）機能を有する表示制御装置が知られている。例えば、特許文献１は、それぞれ異なるテレビ放送局から同時に放送されている、一の放送番組の画像と、他の放送番組の画像とを一画面中に表示するテレビ受像機を開示している。特許文献１では、一方の放送番組の画像を親画像とし、他方の放送番組の画像を子画像としてＰｉｎＰ表示している。
【先行技術文献】
【特許文献】
【０００３】
【特許文献１】特開平９−１６３２６０号公報
【発明の概要】
【発明が解決しようとする課題】
【０００４】
本開示は、より好適なＰｉｎＰ表示を行なうことができる表示制御装置を提供する。
【課題を解決するための手段】
【０００５】
本開示に係る表示制御装置は、表示部で表示される映像を制御する表示制御装置である。表示制御装置は、第１の画像及び第１の画像に重畳した第２の画像を含む画像を生成して表示部に表示させる制御部を備える。制御部は、第１のモードに設定されているときは、第１の画角の第１の画像を表示部に表示するよう制御し、第２のモードに設定されているときは、第１の画角よりも広角な第２の画角の第１の画像を表示部に表示するよう制御する。第２のモードは、第２の画角の第１の画像の領域中における第２の画像の領域を設定するためのモードである。
【発明の効果】
【０００６】
本発明の表示制御装置によれば、より好適なＰｉｎＰ表示を行なうことができる。
【図面の簡単な説明】
【０００７】
【図１】本実施形態のテレビ会議システムの構成図
【図２】２つの拠点間を接続したテレビ会議システムの利用形態を示した図
【図３】メイン画像中にＰｉｎＰ画像を表示するＰｉｎＰ表示機能を説明した図
【図４】リモートカメラの電気的構成図
【図５】撮像画像領域、メイン画像領域、及びＰｉｎＰ画像領域を説明した図
【図６】表示装置の電気的構成図
【図７】赤外線リモコンの電気的構成図
【図８】リモートカメラを操作するための操作画面を説明した図
【図９】ＰｉｎＰ表示選択釦が操作されたときの表示装置の動作を示すフローチャート
【図１０】制御対象選択釦が操作されたときの表示装置の動作を示すフローチャート
【図１１】制御対象選択釦が操作されたときの画面遷移を説明した図
【図１２】ＨＤＭＩ出力時の出力アスペクト比の切り替え時の表示装置の動作を示すフローチャート
【図１３】出力アスペクト比の切り替え時の画面遷移を説明した図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
〔実施の形態１〕
図１は、実施の形態１にかかるテレビ会議システムのシステム構成図である。図１に示すように、実施の形態１にかかるテレビ会議システム１００は、リモートカメラ２００と、リモートカメラ２００とＨＤＭＩケーブル１１０を介して接続された表示装置３００とを備える。
【００１０】
図２は、実施の形態１のテレビ会議システム１００で２つの拠点Ａ、Ｂ間を接続した時の構成を示した図である。２つの拠点Ａ、Ｂ間において、リモートカメラ２００と表示装置３００はネットワークを経由して接続されてもよい。
【００１１】
テレビ会議システム１００においては、リモートカメラ２００に対する赤外線リモコン４００の操作や、表示装置３００の操作により、表示装置３００に表示するＰｉｎＰ画像の表示を制御することができる。ここで、ＰｉｎＰ画像とは、図３に示すような、メイン画像８００中に表示される別の画像８１０である。本実施形態のテレビ会議システム１００は、表示装置３００上に、メイン画像８００とともにこのようなＰｉｎＰ画像を表示させるＰｉｎＰ表示機能を有する。
【００１２】
以下、テレビ会議システム１００の構成および動作について順に説明する。
【００１３】
〔１−１．構成〕
〔１−１−１．リモートカメラ〕
図４は、リモートカメラ２００の電気的構成図である。リモートカメラ２００の構成について、図４を用いて説明する。
【００１４】
図４に示すように、リモートカメラ２００は、コントローラ２１０、レンズ２２０、ＣＭＯＳイメージセンサ２３０、画像処理部２４０、メモリ２５０、ＨＤＭＩインタフェース２６０、及び赤外線受光部２７０を備える。
【００１５】
コントローラ２１０は、リモートカメラ２００全体の動作を統括制御する。コントローラ２１０は、プログラム等の情報を格納するＲＯＭ（不図示）、プログラム等の情報を処理するＣＰＵ（不図示）等により構成される。ＲＯＭは、レンズ制御や、デジタルズーム制御に関するプログラムの他、リモートカメラ２００全体の動作を統括制御するためのプログラムを格納している。コントローラ２１０は、垂直同期信号（ＶＤ）に基づいて、ＣＭＯＳイメージセンサ２３０及び画像処理部２４０などに制御信号を送信する。コントローラ２１０は、ハードワイヤードな電子回路で構成してもよいし、マイクロコンピュータなどで構成してもよい。また、後述する画像処理部２４０などと共に１つの集積回路として構成してもよい。なお、ＲＯＭはコントローラ２１０の内部構成である必要はなく、コントローラ２１０の外部に備わったものでもよい。
【００１６】
レンズ２２０は、フォーカスレンズ等の光学系を含む。リモートカメラ２００は、図示していないが、ズームレンズ、絞り、メカニカルシャッタ、光学式手ぶれ補正レンズを含んでいてもよい。レンズ２２０を構成する各種レンズは何枚から構成されるものでも、何群から構成されるものでもよい。
【００１７】
ＣＭＯＳイメージセンサ２３０は、レンズ２２０を通して形成された被写体像を撮像して画像データを生成する。ＣＭＯＳイメージセンサ２３０は、所定のフレームレート（例えば、３０フレーム／秒）で新しいフレームの画像データを生成する。ＣＭＯＳイメージセンサ２３０の画像データ生成タイミングおよび電子シャッタ動作は、コントローラ２１０によって制御される。なお、ＣＭＯＳイメージセンサ２３０に代えて、ＣＣＤイメージセンサやＮＭＯＳイメージセンサなど、他の撮像素子を用いても良い。
【００１８】
画像処理部２４０は、ＣＭＯＳイメージセンサ２３０から出力された画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部２４０は、ハードワイヤードな電子回路で構成してもよいし、これらの処理を行うためのプログラムを実行するマイクロコンピュータ等で構成してもよい。また、コントローラ２１０等と共に１つの集積回路として構成してもよい。
【００１９】
メモリ２５０は、コントローラ２１０及び画像処理部２４０のワークメモリとして機能する記憶媒体である。メモリ２５０はＤＲＡＭ（Ｄｙｎａｍｉｃ  Ｒａｎｄｏｍ  Ａｃｃｅｓｓ  Ｍｅｍｏｒｙ）などで実現できる。メモリ２５０は、撮像画像記憶領域２５０ａと、出力画像記憶領域２５０ｂを有する。撮像画像記憶領域２５０ａは、ＣＭＯＳイメージセンサ２３０が撮像した画像を一時的に記憶させておくための記憶領域である。出力画像記憶領域２５０ｂは、表示装置３００に出力する画像を一時的に記憶させておくための記憶領域である。なお、本例では、ＣＭＯＳイメージセンサ２３０が撮像した画像の一部の領域を、表示装置３００に出力する画像とする。このため、ＣＭＯＳイメージセンサ２３０が撮像した画像の画角は、表示装置３００に出力する画像の画角よりも大きくなる。
【００２０】
ＨＤＭＩインタフェース２６０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した通信を実施するための通信インタフェースである。ＨＤＭＩインタフェース２６０は、画像・音声等の各種デジタル信号を双方向に伝送することができる。ＨＤＭＩインタフェース２６０は、ＨＤＭＩケーブル１１０を介して、他の電子機器のＨＤＭＩに電気的に接続される。すなわち、リモートカメラ２００は、ＨＤＭＩケーブル１１０を介して、他の電子機器（表示装置３００など）に電気的に接続される。これにより、リモートカメラ２００は、他の電子機器に対して画像・音声等の各種デジタル信号を送信したり、他の電子機器から制御コマンド等の各種デジタル信号を受信したりすることができる。なお、ＨＤＭＩインタフェース２６０に換えて、有線ＬＡＮ（Ｌｏｃａｌ  Ａｒｅａ  Ｎｅｔｗｏｒｋ）や無線ＬＡＮなど、他の接続手段を用いても良い。
【００２１】
赤外線受光部２７０は、赤外線リモコン４００からの赤外線信号を受信するためのインタフェースである。赤外線受光部２７０で受信した赤外線信号は、コントローラ２１０に送信される。コントローラ２１０は、受信した赤外線信号に基づいて各種の制御を実行する。赤外線受光部２７０は、リモートカメラ２００に必須の構成要素ではない。但し、赤外線受光部２７０を備えていることによって、赤外線リモコン４００から送信される赤外線信号を受信することができ、使用者に対して、複数の操作方法を提供することができる。
【００２２】
〔１−１−１−１．撮像領域における画像領域〕
図５は、ＣＭＯＳイメージセンサ２３０により撮像された全画像領域において表示に使用される各領域を説明するための図である。撮像画像領域９００は、ＣＭＯＳイメージセンサ２３０の撮像によって得られる画像領域の全領域である。メイン画像領域９１０は、撮像画像領域９００のうちの一部の領域であって、後述のメイン画像８００が制御対象として選択されているときに、表示装置３００上でメイン画面として採用（表示）される画像領域である。ＰｉｎＰ画像領域９２０Ａ〜９２０Ｃは、撮像画像領域９００のうち、表示装置３００上でＰｉｎＰ画像として採用（表示）される画像領域の例である。図５は、ＰｉｎＰ画像領域として採用可能な画像領域のバリエーション９２０Ａ〜９２０Ｃを例示している。ＰｉｎＰ画像領域９２０Ａは、メイン画像領域９１０内に完全に包含されるＰｉｎＰ画像領域を設定した場合の例である。ＰｉｎＰ画像領域９２０Ｂは、メイン画像領域９１０と一部が重なるようにＰｉｎＰ画像領域を設定した場合の例である。ＰｉｎＰ画像領域９２０Ｃは、メイン画像領域９１０の外側の画像領域をＰｉｎＰ画像領域として設定した場合の例である。このように、本テレビ会議システム１００では、撮像画像領域９００の一部の領域がＰｉｎＰ画像領域として切り出され、表示装置３００に表示される。すなわち、撮像画像領域９００内であれば、メイン画像領域９１０の外側であっても内側であっても、後述するＰｉｎＰ画像領域を設定するモードにおいて、ワイド端方にシフトしたメイン画像８００の領域の範囲内であれば、ＰｉｎＰ画像領域として採用することができる。これにより、テレビ会議システム１００の用途に応じて適切なＰｉｎＰ画像を表示させることができる。
【００２３】
〔１−１−２．表示装置〕
図６は、表示装置３００の電気的構成図である。表示装置３００の構成について、図６を用いて説明する。
【００２４】
図６に示すように、表示装置３００は、コントローラ３１０、ＨＤＭＩ３２０、画像処理部３３０、メモリ３４０、液晶ディスプレイ３５０、操作部３６０を備える。
【００２５】
コントローラ３１０は、表示装置３００全体の動作を統括制御する。コントローラ３１０は、プログラム等の情報を格納するＲＯＭ（不図示）、プログラム等の情報を処理するＣＰＵ（不図示）等により構成される。ＲＯＭは、表示制御に関するプログラムの他、表示装置３００全体の動作を統括制御するためのプログラムを格納している。コントローラ３１０は、垂直同期信号（ＶＤ）に基づいて、画像処理部３３０及び液晶ディスプレイ３５０などに制御信号を送信する。コントローラ３１０は、ハードワイヤードな電子回路で構成してもよいし、マイクロコンピュータなどで構成してもよい。また、後述する画像処理部３３０などと共に１つの集積回路として構成してもよい。なお、ＲＯＭはコントローラ３１０の内部構成である必要はなく、コントローラ３１０の外部に備わったものでもよい。
【００２６】
ＨＤＭＩインタフェース３２０は、ＨＤＭＩ規格に準拠した通信を実施するための通信インタフェースである。ＨＤＭＩインタフェース３２０は、画像・音声等の各種デジタル信号を双方向に伝送することができる。ＨＤＭＩインタフェース３２０は、ＨＤＭＩケーブル１１０を介して、他の電子機器のＨＤＭＩに電気的に接続される。すなわち、表示装置３００は、ＨＤＭＩケーブル１１０を介して、他の電子機器（リモートカメラ２００など）に電気的に接続される。これにより、表示装置３００は、他の電子機器から画像・音声等の各種デジタル信号を受信したり、他の電子機器に対して制御コマンド等の各種デジタル信号を送信したりすることができる。なお、ＨＤＭＩインタフェース３２０に換えて、有線ＬＡＮ（Ｌｏｃａｌ  Ａｒｅａ  Ｎｅｔｗｏｒｋ）や無線ＬＡＮなど、他の接続手段を用いても良い。
【００２７】
画像処理部３３０は、ＨＤＭＩインタフェース３２０を介して取得した画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部３３０は、ハードワイヤードな電子回路で構成してもよいし、これらの処理を行うためのプログラムを実行するマイクロコンピュータ等で構成してもよい。また、コントローラ３１０等と共に１つの集積回路として構成してもよい。
【００２８】
メモリ３４０は、コントローラ３１０や、画像処理部３３０のワークメモリとして機能する記憶媒体である。メモリ３４０はＤＲＡＭ（Ｄｙｎａｍｉｃ  Ｒａｎｄｏｍ  Ａｃｃｅｓｓ  Ｍｅｍｏｒｙ）などで実現できる。メモリ３４０は、出力画像記憶領域３４０ａを有する。出力画像記憶領域３４０ａは、液晶ディスプレイ３５０に出力する画像を一時的に記憶させておくための記憶領域である。
【００２９】
液晶ディスプレイ３５０は、画像処理部３３０にて処理されメモリ３４０内の出力画像記憶領域３４０ａに記憶された画像を表示する。なお、液晶ディスプレイ３５０に代えて、有機ＥＬディスプレイなど、他の表示デバイスを用いてもよい。
【００３０】
操作部３６０は、表示装置３００に備わっているキーボード及びマウス等の総称であり、ユーザによる操作を受け付ける。操作部３６０は、ユーザによる操作を受け付けると、コントローラ３１０に種々の動作指示信号を送信する。
【００３１】
〔１−１−３．赤外線リモコン〕
図７は、赤外線リモコン４００の電気的構成図である。赤外線リモコン４００の構成について、図７を用いて説明する。
【００３２】
図７に示すように、赤外線リモコン４００は、操作部４１０、コントローラ４２０、赤外線送信部４３０を備える。
【００３３】
操作部４１０は、赤外線リモコン４００に備わっている十字キーや、ナンバーキー等の総称であり、ユーザによる操作を受け付ける。操作部４１０は、ユーザによる操作を受け付けると、コントローラ４２０に種々の動作指示信号を通知する。
【００３４】
コントローラ４１０は、赤外線リモコン４００全体の動作を統括制御する。コントローラ４２０は、操作部４１０から受信された動作指示信号に基づいて、制御信号を生成する。コントローラ４２０は、生成した制御信号を赤外線送信部４３０に送信する。
【００３５】
赤外線送信部４３０は、リモートカメラ２００の赤外線受光部２７０に赤外線信号を送信するためのインタフェースである。赤外線送信部４３０は、コントローラ４２０から受信した制御信号に基づいて、赤外線信号を外部に発信する。
【００３６】
なお、赤外線リモコン４００は、テレビ会議システム１００に必須の構成ではない。但し、赤外線４００に対応していることにより、使用者に対して、複数の操作方法を提供することができる。
【００３７】
〔１−１−３−１．リモートカメラの操作画面〕
図８は、リモートカメラ２００を操作する画面の一例を示す図である。図８を用いて、リモートカメラ２００を操作するための画面について説明する。
【００３８】
図８に示す表示画面５００は、リモートカメラ２００で作成され、ＨＤＭＩケーブル１１０を介して表示装置３００に送信され、表示装置３００の液晶ディスプレイ３５０に表示される。尚、図８に示す表示画面は、リモートカメラ２００側ではなく、表示装置３００側で作成するようにしてもよい。表示画面５００は、カメラ画像表示領域５１０、ズーム指示釦５２０、方向指示釦５３０、制御対象選択釦５４０、ＰｉｎＰ表示選択釦５５０等を有している。表示画面５００の各種釦５２０、５３０、・・・は、表示装置３００の操作部３６０により操作される。
【００３９】
なお、表示画面５００において、ズーム指示釦５２０、方向指示釦５３０、制御対象選択釦５４０、ＰｉｎＰ表示選択釦５５０は必須の構成要素ではない。リモートカメラ２００の操作を赤外線リモコン４００等の他の操作手段を用いて行う場合は、これらの構成要素はなくてもよい。
【００４０】
表示画面５００の各構成要素について説明する。カメラ画像表示領域５１０は、リモートカメラ２００から出力されたリアルタイム画像を表示する領域である。
【００４１】
ズーム指示釦５２０は、望遠方向（画像拡大方向）のズーム指示釦と、広角方向（画像縮小方向）のズーム指示釦とを含む。ユーザは、表示装置３００の操作部３６０を操作して、ズーム指示釦５２０のいずれかの方向の釦を押下することにより、リモートカメラ２００に対して望遠方向または広角方向へのズーム指示を行う。操作部３６０の操作によりズーム指示を受け付けると、コントローラ３１０は、ＨＤＭＩインタフェース３２０及びＨＤＭＩケーブル１１０を介して、リモートカメラ２００にズーム指示する。リモートカメラ２００のコントローラ２１０は、表示装置３００からのズーム指示に従ってズーム制御を行なう。そして、リモートカメラ２００は、ズーム指示内容が反映された画像を、ＨＤＭＩインタフェース２６０及びＨＤＭＩケーブル１１０を介して表示装置３００に送信する。これにより、カメラ画像表示領域５１０に、ズーム指示内容が反映された画像が表示される。
【００４２】
方向指示釦５３０は、上下左右方向の移動指示釦を含む。ユーザは、操作部３６０を操作して、方向指示釦５３０のいずれかの方向の釦を押下することにより、リモートカメラ２００により撮影される被写体の位置を変更することができる。
【００４３】
制御対象選択釦５４０は、メイン画面とＰｉｎＰ画面のいずれを、ズーム指示釦５２０および方向指示釦５３０による制御対象とするかを設定するための釦である。ユーザは、表示装置３００の操作部３６０を操作して、制御対象選択釦５４０のうちのメイン画面釦かＰｉｎＰ画面釦のいずれかを押下する。これにより、リモートカメラ２００に対する、ズーム指示釦５２０または方向指示釦５３０に基づく指示を、メイン画像とＰｉｎＰ画像のどちらの制御に対して適用するかを選択することができる。
【００４４】
ＰｉｎＰ表示選択釦５５０は、ＰｉｎＰ表示のＯＮ/ＯＦＦを切り替えるための釦である。ユーザにより、操作部３６０が操作されて、ＰｉｎＰ表示の「ＯＮ」が選択されると、メイン画面の右上にＰｉｎＰ画像を重畳した合成画像がリモートカメラ２００から表示装置３００に出力される。これにより、表示画面５００のカメラ画像表示領域５１０に、リモートカメラ２００から出力された合成画像（ＰｉｎＰ画像）が表示される。ＰｉｎＰ表示の「ＯＦＦ」が選択された場合は、ＰｉｎＰ画像は重畳されず、メイン画面のみリモートカメラ２００から表示装置３００に出力される。これにより、カメラ画像表示領域５１０にメイン画面のみが表示される。
【００４５】
〔１−２．動作〕
実施の形態１にかかるテレビ会議システム１００の動作について順次説明する。
【００４６】
〔１−２−１．ＰｉｎＰ表示選択釦の操作時の動作〕
図９は、図８に示す表示画面５００においてＰｉｎＰ表示選択釦５５０が操作されたときの動作を示すフローチャートである。図９を用いて、ＰｉｎＰ表示選択釦５５０を操作したときの動作を説明する。
【００４７】
表示装置３００のコントローラ３１０は、ＰｉｎＰ表示選択釦５５０に対するユーザによる操作（ＯＮ/ＯＦＦ）を監視している（Ｓ６００）。ユーザがＰｉｎＰ表示選択釦５５０を操作して、ＰｉｎＰ画像の「ＯＦＦ」を指示する釦が押下された場合（Ｓ６００におけるＮＯ）、表示装置３００のコントローラ３１０は、ＰｉｎＰ画像を出力せずメイン画像のみを出力する旨の指示（ＰｉｎＰ表示ＯＦＦの指示）を、ＨＤＭＩインタフェース３２０経由でリモートカメラ２００に送信する。なお、リモートカメラ２００へのＰｉｎＰ表示のＯＮ／ＯＦＦの指示は、表示装置３００からＨＤＭＩインタフェース３２０、２６０経由で行なってもよいし、赤外線リモコン４００を使用してリモートカメラ２００内部に付属している赤外線受光部２７０経由で行なってもよい。
【００４８】
リモートカメラ２００のコントローラ２１０は、ＰｉｎＰ表示ＯＦＦの指示を受信した場合、メモリ２５０の出力画像記憶領域２５０ｂにメイン画像のデータのみ書き込みを行い、その後、出力画像記憶領域２５０ｂに書き込んだメイン画像のデータをＨＤＭＩインタフェース２６０を介して表示装置３００に出力する。
【００４９】
表示装置３００のコントローラ３１０は、リモートカメラ２００からＨＤＭＩインタフェース３２０経由で入力された画像データが示す画像（ＰｉｎＰ画像なしのメイン画面）を、液晶ディスプレイ３５０上のカメラ画像表示領域５１０に表示する（Ｓ６１０）。
【００５０】
一方、ＰｉｎＰ表示選択釦５５０のうちＰｉｎＰ画像の「ＯＮ」を指示する釦が押下された場合（Ｓ６００におけるＹＥＳ）、表示装置３００のコントローラ３１０は、メイン画像にＰｉｎＰ画像を重畳した合成画像を出力する旨の指示（ＰｉｎＰ表示ＯＮの指示）を、ＨＤＭＩインタフェース３２０経由でリモートカメラ２００に送信する。リモートカメラ２００のコントローラ２１０は、ＰｉｎＰ表示ＯＮの指示を受信すると、メモリ２５０の出力画像記憶領域２５０ｂにおいて、メイン画像の書き込みを行った後メイン画像の画像右上にＰｉｎＰ画像を重畳させて書き込みを行って、合成画像を生成する。その後、コントローラ２１０は、出力画像記憶領域２５０ｂに書き込んだ合成画像を、ＨＤＭＩインタフェース２６０を介して表示装置３００に出力する。
【００５１】
表示装置３００のコントローラ３１０は、リモートカメラ２００からＨＤＭＩインタフェース３２０経由で入力した合成画像を、液晶ディスプレイ３５０のカメラ画像表示領域５１０に表示する（Ｓ６２０）。
【００５２】
尚、ＰｉｎＰ画像をメイン画像に重畳する位置は右上に限定されず、ユーザ操作による設定により画面の右上、左上、左下、右下等の任意の位置を選択できるようにしてもよい。
【００５３】
〔１−２−２．制御対象選択釦の操作時の動作〕
図１０は、制御対象選択釦５４０が操作されたときの表示装置３００の動作を示すフローチャートである。図１０を用いて、制御対象選択釦５４０が操作されたときの表示装置３００の動作を説明する。
【００５４】
表示装置３００のコントローラ３１０は、制御対象選択釦５４０についてメイン画像釦またはＰｉｎＰ画像釦のいずれかが選択されたか否かを監視している。図１０のフローチャートに示す処理は、制御対象選択釦５４０についてメイン画像釦またはＰｉｎＰ画像釦のいずれかが選択されたときに実行される。
【００５５】
ユーザにより制御対象選択釦５４０のうちメイン画像釦が押下された場合（Ｓ７００におけるＮＯ）、表示装置３００のコントローラ３１０は、制御対象をメイン画像とする旨の指示を、ＨＤＭＩインタフェース３０２経由でリモートカメラ２００に送信する（Ｓ７０５）。リモートカメラ２００のコントローラ２１０は、制御対象をメイン画像とする旨の指示を受信する。この状態で表示装置３００からズーム指示釦５２０の操作指示内容が通知されると、リモートカメラ２００のコントローラ２１０は、画像処理部２４０に対して、メイン画像のみを、操作指示内容に基づきズーム処理するように指示する。
【００５６】
尚、リモートカメラ２００におけるズーム処理は、画像処理部２４０による電子ズーム処理に限定されず、レンズ２２０による光学的なズーム処理でもよい。
【００５７】
リモートカメラ２００の画像処理部２４０では、垂直同期信号（ＶＤ）に基づいて、メイン画像とＰｉｎＰ画像に対して交互に処理を行っている。すなわち、メイン画像を処理しているタイミングにおいて、デジタルズーム処理を行い、デジタルズーム処理された画像をメモリ２５０に書き込み、ＨＤＭＩインタフェース２６０を経由して出力する。方向指示釦５３０が操作された場合、コントローラ２１０は、メイン画像が示す被写体の位置を変更するように、画像処理部２４０に対して指示する。
【００５８】
画像処理部２４０は、メイン画像の画像処理を行うタイミングにおいて、ＣＭＯＳイメージセンサ２３０から出力された撮像画像（メモリ２５０の撮像画像記憶領域２５０ａに書き込まれた画像）における、メイン画像として採用する画像領域の位置を、方向指示釦５３０の操作にしたがい変更する。画像処理部２４０は、変更した画像領域の画像データをメモリ２５０の出力画像記憶領域２５０ｂに書き込み、ＨＤＭＩインタフェース２６０を経由して出力する。表示装置３００のコントローラ３１０は、リモートカメラ２００からＨＤＭＩインタフェース３２０経由で入力された画像データが示す画像をカメラ画像表示領域５１０に表示する。
【００５９】
次に、ユーザがＰｉｎＰ画像を制御対象として選択した場合を説明する。図１０のフローチャートにおいて、ユーザにより制御対象選択釦５４０のうちＰｉｎＰ画像釦が押下された場合（Ｓ７００におけるＹＥＳ）、表示装置３００のコントローラ３１０は、メイン画像が示す画像の範囲がより広くなるようにＨＤＭＩ３２０経由でリモートカメラ２００に指示を行う（Ｓ７１０）。すなわち、コントローラ３１０は、メイン画像のズームポジションをワイド端へ移動させるようにリモートカメラ２００に指示を行う（Ｓ７１０）。
【００６０】
ＰｉｎＰ画像が制御対象になっているとき、ユーザは、ズーム指示釦５２０や方向指示釦５３０を操作することで、撮像画像の全領域のうちの任意の画像領域をＰｉｎＰ画像として設定できる。ＰｉｎＰ画像が制御対象になったときに、コントローラ２１０がメイン画像が示す画像の範囲をより広くすることにより（すなわち、ズームポジションをワイド端へ移動することにより）、ユーザは、ＰｉｎＰ画像の現在または将来の設定位置をより把握しやすくなる。すなわち、メイン画像を最も広角な画像に変更されることで、ユーザは、撮像画像領域全体におけるＰｉｎＰ画像の相対的な位置関係を把握しやすくなる。よって、ユーザは、撮像画像領域における、現在設定されているＰｉｎＰ画像領域の位置を把握しやすくなる。また、ユーザは、撮像画像の領域中のいずれの位置にＰｉｎＰ画像を設定すればよいかを、把握しやすくなる。
【００６１】
本実施形態では、ＰｉｎＰ画像の設定位置の操作時に、よりユーザが把握しやすいように、ズームポジションをワイド端に移動させた。しかし、ズームポジションはワイド端まで移動させなくてもよい。ＰｉｎＰ画像が制御対象とされる直前まで表示されていたメイン画像の画角よりも、よりワイド端側の画角になるよう、ズームポジションをシフトさせてもよい。このような方法であっても、ユーザは、撮像画像領域全体におけるＰｉｎＰ画像の相対的な位置関係を把握しやすくなる。
【００６２】
リモートカメラ２００のコントローラ２１０は、メイン画像のズームポジションをワイド端へ移動する指示を受け取ると、画像処理部２４０に対して、メイン画像をワイド端にズームするように指示する。画像処理部２４０は、メイン画像の画像処理をしているタイミングにおいて、ズームポジションがワイド端になるようズーム処理を行い、撮像した画像データをメモリ２５０に書き込み、ＨＤＭＩインタフェース２６０経由で出力する。表示装置３００は、ＨＤＭＩインタフェース３２０を介して、ズームポジションがワイド端に移動したメイン画像を含む合成画像をリモートカメラ２００から取得する（Ｓ７２０）。
【００６３】
そして、表示装置３００のコントローラ３１０は、リモートカメラ２００からＨＤＭＩインタフェース３２０経由で取得した合成画像を、液晶ディスプレイ３５０のカメラ画像表示領域５１０に表示する（Ｓ７３０）。これにより、ユーザがＰｉｎＰ画像の領域や位置を把握しやすい（すなわち、ＰｉｎＰ画像を制御しやすい）合成画像が表示装置３００に表示された状態になる。
【００６４】
この状態において、表示装置３００のコントローラ３１０は、ズーム指示釦５２０や方向指示釦５３０が操作されたか否かを監視している（Ｓ７４０）。ズーム指示釦５２０または方向指示釦５３０が操作された場合（Ｓ７４０におけるＹＥＳ）、コントローラ３１０は、操作内容に従ってリモートカメラ２００に対して指示を行う（Ｓ７５０）。
【００６５】
例えば、ズーム指示釦５２０が操作された場合、コントローラ３１０は、リモートカメラ２００の画像処理部２４０に対して、メイン画像に対してはズーム処理をせず、ＰｉｎＰ画像のみをズーム処理するように指示する。画像処理部２４０は、ＰｉｎＰ画像の画像処理をしている期間のみ、ＰｉｎＰ画像に対してデジタルズーム処理を行う。そして、画像処理部２４０は、メモリ２５０の出力画像記憶領域２５０ｂに、デジタルズーム処理後のＰｉｎＰ画像を含む合成画像を書き込む。その後、ＨＤＭＩインタフェース２６０経由で合成画像が出力される。
【００６６】
方向指示釦５３０が操作された場合も同様に、コントローラ３１０は、リモートカメラ２００の画像処理部２４０に対して、撮像画像の画像領域における、新たなＰｉｎＰ画像の読み出し位置を指示する。画像処理部２４０では、垂直同期信号に基づいて、ＰｉｎＰ画像の画像処理をしている期間において、撮像画像の領域におけるＰｉｎＰ画像の読み出し位置を変更する。変更後の読み出し位置の画像データがメモリ２５０に書き込まれ、ＨＤＭＩインタフェース２６０経由で出力される。
【００６７】
表示装置３００のコントローラ３１０は、リモートカメラ２００からＨＤＭＩインタフェース３２０経由で受信した画像データが示す画像をカメラ画像表示領域５１０に表示する。
【００６８】
この状態において、表示装置３００のコントローラ３１０は、メイン画像が制御対象として選択されたか否かを監視している（Ｓ７６０）。表示装置３００のコントローラ３１０は、メイン画像が制御対象として再び選択されるまで、すなわちＰｉｎＰ画像が制御対象として選択されている間は、ステップＳ７３０からステップＳ７６０の動作を繰り返す。
【００６９】
その後、メイン画像が制御対象として選択された場合（Ｓ７６０におけるＹＥＳ）、表示装置３００のコントローラ３１０は、メイン画像が再びステップＳ７００以前の画角に復帰させるようリモートカメラ２００に指示する（Ｓ７７０）。そして、表示装置３００のコントローラ３１０は、以前の画角のメイン画像（以前のズームポジションで撮影されたメイン画像）を含む画像データをリモートカメラ２００から受信し、受信した画像データが示す画像をカメラ画像表示領域５１０に表示する（Ｓ７８０）。以上により、撮像画像が示す画像領域のうちいずれの画像領域をＰｉｎＰ画像とするかの設定が完了する。
【００７０】
図１１は、制御対象選択釦５０４が操作されたときの画面の遷移を説明した図である。以下、図１１（Ａ）から図１１（Ｅ）を用いて、制御対象選択釦５４０が操作されたときの画面遷移について説明する。
【００７１】
図１１（Ａ）は、メイン画像８００が制御対象として選択されており、ＰｉｎＰ画像８１０の表示がＯＦＦに選択されているときの、カメラ画像表示領域５１０に表示された画面の例を示した図である。このとき、ＰｉｎＰ画像８１０の表示がＯＦＦに選択されているため、カメラ画像表示領域５１０にはＰｉｎＰ画像８１０は表示されない。また、メイン画像８００が制御対象として選択されているため、ユーザは、ズーム指示釦５２０や方向指示釦５３０を操作することにより、撮像画像の全画像領域において、いずれの画像領域をメイン画像とするかを設定することができる。
【００７２】
図１１（Ｂ）は、図１１（Ａ）の画面から遷移した画面を示している。図１１（Ｂ）は、メイン画像８００が制御対象として選択されたままであり、ＰｉｎＰ画像８１０の表示がＯＮに選択されたときの画面例を示す図である。このとき、ＰｉｎＰ画像８１０の表示がＯＮに選択されたため、カメラ画像表示領域５１０は、メイン画像８００にＰｉｎＰ画像８１０が重畳された合成画像を表示する。
【００７３】
図１１（Ｃ）は、図１１（Ｂ）の画面から遷移した画面を示している。図１１（Ｃ）は、ＰｉｎＰ画像８１０の表示がＯＮに選択されたままであり、ＰｉｎＰ画像８１０が制御対象として選択されたときの画面の例を示す図である。このとき、ＰｉｎＰ画像８１０が制御対象に選択されたことに伴い、破線枠８２０がメイン画像８００に重畳されて表示されている。この破線枠８２０は、メイン画像８００の画像領域においてＰｉｎＰ画像８１０として読み出している領域を示している。この破線枠８２０により、ユーザは、メイン画像８００が示す画像領域のうち、いずれの画像領域がＰｉｎＰ画像８１０として設定されているかを把握することができる。また、ＰｉｎＰ画像８１０が制御対象に選択されたことに伴い、メイン画像８００が示す画像領域の画角（ズームポジション）が、ワイド端にシフトしている。これにより、ユーザは、撮像画像のうちＰｉｎＰ画像として現在設定されている画像領域の位置および、撮像画像のうちいずれの画像領域にＰｉｎＰ画像としての設定位置を変更させればよいかを、把握しやすくなる。図１１（Ｃ）の画面が表示された状態において、ユーザは、より広角なメイン画像の領域中においてＰｉｎＰ画像の領域を設定することができる。
【００７４】
図１１（Ｄ）は、図１１（Ｃ）の画面から遷移した画面を示している。図１１（Ｄ）は、ＰｉｎＰ画像８１０の表示がＯＮに選択されたままであり、ＰｉｎＰ画像８１０が制御対象として選択されたままである。図１１（Ｄ）では、ＰｉｎＰ画像の設定位置を示す破線枠８２０が、方向指示釦５３０の操作により、図１１（Ｃ）に示す位置から移動している。このとき、ＰｉｎＰ画像の設定位置を示す破線枠８２０の位置の移動に伴って、ＰｉｎＰ画像８１０の表示内容も変化している。これにより、ユーザは、ＰｉｎＰ画像の設定位置を移動させながら、ＰｉｎＰ画像８１０の表示内容がどのように変更されるかを把握しやすくなる。また、このとき、ＰｉｎＰ画像８１０が制御対象として選択されたままであるので、メイン画像８００が示す画像領域の画角（ズームポジション）は、ワイド端に維持されたままとなる。これにより、ユーザは、撮像画像のうちいずれの画像領域にＰｉｎＰ画像としての設定位置を変更させればよいか把握しながら、ＰｉｎＰ読み出し位置を移動させることができる。
【００７５】
図１１（Ｅ）は、図１１（Ｄ）に示す画面から遷移した画面を示している。図１１（Ｅ）は、ＰｉｎＰ画像８１０の表示はＯＮに選択されたままであるが、制御対象がＰｉｎＰ画像８１０からメイン画像８００に変更されたときの画面を示す図である。制御対象がＰｉｎＰ画像８１０からメイン画像８００に変更されたことに伴い、ＰｉｎＰ画像の設定位置を示す枠８２０が表示されなくなっている。また、制御対象がＰｉｎＰ画像８１０からメイン画像８００に変更されたことに伴い、ＰｉｎＰ画像の設定位置の設定操作が完了したとみなし、メイン画像８００が示す画像領域の画角（ズームポジション）を、制御対象がＰｉｎＰ画像８１０に選択された直前の画角（ズームポジション）に復帰させている。以上の方法により、撮像画像が示す画像領域において、所望の画像領域をＰｉｎＰ画像に設定することができる。
【００７６】
〔１−２−３．アスペクト比の切替時の動作〕
図１２は、ＨＤＭＩインタフェース経由での画像出力時におけるアスペクト比の切り替え時の動作を示すフローチャートである。図１２を用いて、ＨＤＭＩ出力時の画像のアスペクト比の切り替えの動作について説明する。
【００７７】
リモートカメラ２００のコントローラ２１０は、メイン画面のアスペクト比に変更があるか否かを監視している（Ｓ９００）。ユーザは、リモートカメラ２００のメニュー操作により、ＨＤＭＩ出力時の出力画像のアスペクト比の切り替えを行うことができる。リモートカメラ２００のアスペクト比に変更があった場合（Ｓ９００におけるＹＥＳ）、リモートカメラ２００のコントローラ２１０は、リモートカメラ２００の画像処理部２４０に対して、ＰｉｎＰ画像を重畳させる位置をシフトするように指示を行う（Ｓ９１０）。
【００７８】
ここで、１６：９の出力アスペクトの設定時であって、ＰｉｎＰ画像をメイン画像が示す画像領域の右上端に表示している場合に、出力アスペクトが４：３サイドカットに変更された場合を例に説明する。このとき、メイン画像が示す画像領域において、ＰｉｎＰ画像を重畳させる位置を内側に移動させる。具体的には、画像処理部２４０は、４：３サイドカットによりメイン画像に重畳されたＰｉｎＰ画像が表示されなくなるのを防ぐために、ＰｉｎＰ画像の位置を少なくともサイドカットの幅の分だけ内側に移動させる。画像処理部２４０は、ＰｉｎＰ画像を画像処理しているタイミングにおいて、この処理を行う。画像処理部２４０は、メモリ２５０の出力画像記憶領域２５０ｂにＰｉｎＰ画像をメイン画像に重畳して書き込むときに、ＰｉｎＰ画像の書き込み位置をずらして書き込む。具体的には、ＰｉｎＰ画像の書き込み位置を、少なくともサイドカットにより表示されなくなるのを回避できる幅の分だけ、画面中心側にずらして、ＰｉｎＰ画像の書き込みを行う。リモートカメラ２００のコントローラ２１０は、メモリ２５０の出力画像記憶領域２５０ｂから、メイン画像と、画面内側にずらして書き込まれたＰｉｎＰ画像との合成画像を読み出し、画面左右にサイドブラックをつけてＨＤＭＩインタフェース２６０経由で出力する。
【００７９】
表示装置３００のコントローラ３１０は、画面左右にサイドブラックが付けられた合成画像をＨＤＭＩインタフェース３２０を介して、リモートカメラ２００から取得する（Ｓ９２０）。
【００８０】
そして、コントローラ３１０は、リモートカメラ２００から取得した合成画像を、液晶ディスプレイ３５０のカメラ画像表示領域５１０に表示する（Ｓ９３０）。
【００８１】
以上のように、出力アスペクト比の切り替え時には、ＰｉｎＰ画像の表示位置がシフトされる。なお、アスペクト比が４：３から１６：９に変更される場合、ＰｉｎＰ画像の表示位置は外側にシフトされてもよい。
【００８２】
図１３は、出力画像のアスペクト比の切り替え時の画面遷移を説明した図である。図１３（Ａ）は、出力アスペクトが１６：９に設定されているときの画面の例を示す図である。一方、図１３（Ｂ）は、図１３（Ａ）の状態から出力アスペクトが４：３サイドカットに設定変更されたときの画面の例を示す図である。図１３（Ｂ）に示すように、出力アスペクトが４：３サイドカットに設定変更されたときに、メイン画像に重畳させるＰｉｎＰ画像の画像領域がサイドカットに重ならないように、ＰｉｎＰ画像の位置を移動させている。これにより、ＰｉｎＰ画像が、サイドカットにより表示されなくなるのを回避することができる。
【００８３】
上記の例では、アスペクト比が４：３サイドカットに設定変更された場合を説明したが、サイドカットに限らず上下カットでもよい。この場合は、アスペクト比の設定変更に伴い、メイン画像に重畳させるＰｉｎＰ画像の領域が上下カットに重ならないように、ＰｉｎＰ画像の位置を移動させる。
【００８４】
また上記の例では、アスペクト比の切り替え操作をリモートカメラ２００側にて行なうようにしたが、表示装置３００からアスペクト比の切り替えを指示するように構成してもよい。
【００８５】
〔１−３．効果等〕
以上のように、表示装置３００は、液晶ディスプレイ３５０で表示される映像を制御する表示制御装置である。表示装置３００は、メイン画像及びメイン画像に重畳したＰｉｎＰ画像を含む画像を生成して液晶ディスプレイ３５０に表示させるコントローラ３１０を備える。コントローラ３１０は、メイン画面を制御対象にするモード（第１のモード）に設定されているときは、所定の画角（第１の画角）のメイン画像を液晶ディスプレイ３５０に表示するよう制御する。なお、第１のモードでは、メイン画像にＰｉｎＰ画像が重畳されて表示されているが、制御対象はメイン画面となっている。一方、ＰｉｎＰ画面を制御対象にするモード、すなわち、メイン画像の領域においてＰｉｎＰ画像の領域を設定するためのモード（第２のモード）に設定されているときは、コントローラ３１０は、より広角な画角のメイン画像を液晶ディスプレイ３５０に表示するよう制御する。これにより、ユーザは、撮像画像領域における、ＰｉｎＰ画像の現在の設定位置およびこれから設定するＰｉｎＰ画像の位置を把握しやすくなる。
【００８６】
また、コントローラ３１０は、撮像画像が示す画像領域より狭い範囲の画像領域をメイン画像として設定し、撮像画像が示す画像領域における所定の領域をＰｉｎＰ画像としてそれぞれ設定する。そして、コントローラ３１０は、設定されたメイン画像に、設定されたＰｉｎＰ画像を重畳させた合成画像を液晶ディスプレイ３５０に表示するよう制御する。これにより、液晶ディスプレイ３５０に表示されたメイン画像が示す画像領域の外側の画像領域を、ＰｉｎＰ画像として設定することもできる。
【００８７】
また、表示装置３００は、メイン画像と、ＰｉｎＰ画像とを取得し、取得されたメイン画像のうち、液晶ディスプレイ３５０への表示領域とする画像領域のアスペクト比に応じて、取得されたＰｉｎＰ画像をメイン画像に重畳させる位置を決定してもよい。その決定した位置に基づいてメイン画像にＰｉｎＰ画像を重畳させた合成画像を液晶ディスプレイ３５０に表示してもよい。これにより、ＰｉｎＰ画像の書き込み位置を、出力画像のアスペクト比の設定変更により表示されなくなるのを回避することができる。
【００８８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００８９】
上記の実施形態では、メイン画像に対して１つのＰｉｎＰ画像を重畳して表示する例を説明したが、ＰｉｎＰ画像の数は一つに限らない。メイン画像に対して、複数のＰｉｎＰ画像を重畳して表示させてもよい。
【００９０】
上記の実施形態では、ＰｉｎＰ機能に関する技術思想を、リモートカメラ２００と表示装置３００で構成されるテレビ会議システムに適用したが、適用対象は、テレビ会議システムに限定されない。上記実施の形態の技術思想は、ＰｉｎＰ機能を有する電子機器に適用できる。例えば、監視カメラと、監視カメラをコントロールする機器との組み合わせに適用することができる。
【００９１】
上記の実施形態では、表示装置３００は液晶ディスプレイ３５０等の表示デバイスを内部に備えたが、必ずしも表示デバイスを備える必要はない。表示装置３００は、映像信号を外部接続した表示デバイスに出力してもよい。すなわち、表示装置３００は、内部に備えた又は外部接続した表示デバイスで表示される画像を制御できる装置であればよい。
【００９２】
メイン画像は第１の画像の一例である。ＰｉｎＰ画像は第２の画像の一例である。コントローラ３６０は制御部の一例である。ＨＤＭＩインタフェース３２０は通信部の一例である。液晶ディスプレイ３５０は表示部の一例である。表示装置３００は表示制御装置の一例である。
【００９３】
以上のように、本開示における技術の例示として、実施の形態を説明した。そのために、添付図面および詳細な説明を提供した。
【００９４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９５】
また、上述の実施の形態は、本開示における技術を例示するためのものであるから、特許請求の範囲またはその均等の範囲において種々の変更、置き換え、付加、省略などを行うことができる。
【産業上の利用可能性】
【００９６】
本開示は、ＰｉｎＰ表示機能を制御する表示制御装置、表示制御システムに適用可能である。
【図１】
2014010170.tif 000003
【図２】
2014010170.tif 000004
【図３】
2014010170.tif 000005
【図４】
2014010170.tif 000006
【図５】
2014010170.tif 000007
【図６】
2014010170.tif 000008
【図７】
2014010170.tif 000009
【図８】
2014010170.tif 000010
【図９】
2014010170.tif 000011
【図１０】
2014010170.tif 000012
【図１１】
2014010170.tif 000013
【図１２】
2014010170.tif 000014
【図１３】
2014010170.tif 000015
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
表示部で表示される映像を制御する表示制御装置であって、
第１の画像及び前記第１の画像に重畳した第２の画像を含む画像を生成して前記表示部に表示させる制御部を備え、
前記制御部は、
第１のモードに設定されているときは、第１の画角の前記第１の画像を前記表示部に表示するよう制御し、
第２のモードに設定されているときは、前記第１の画角よりも広角な第２の画角の前記第１の画像を前記表示部に表示するよう制御し、
前記第２のモードは、前記第２の画角の前記第１の画像の領域中における前記第２の画像の領域を設定するためのモードである、
表示制御装置。
【請求項２】
前記第１のモードにおいて、前記制御部は、前記第１の画角で表示された前記第１の画像に、前記第２のモードにおいて設定された前記第２の画像を合成した画像を前記表示部に表示させる、
請求項１に記載の表示制御装置。
【請求項３】
撮像装置と通信を行う通信部をさらに備え、
前記第１の画像は、前記撮像装置で撮像され、前記通信部を介して前記撮像装置から受信した画像であり、
前記制御部は、前記第１のモードから前記第２のモードに切り替えられたときに、前記通信部を介して前記撮像装置に対して、前記第２の画角で画像を撮像するよう指示を送信する、
請求項１または２に記載の表示制御装置。
【請求項４】
前記制御部は、前記第２の画角で撮像された前記第１の画像を、前記通信部を介して前記撮像装置から受信する、
請求項３に記載の表示制御装置。
【請求項５】
前記第１の画像及び前記第２の画像は、撮像装置により撮像された画像の全領域の一部を切り出した画像である、
請求項１または２に記載の表示制御装置。
【手続補正２】
【補正対象書類名】明細書
【補正対象項目名】全文
【補正方法】変更
【補正の内容】
【発明の詳細な説明】
【技術分野】
【０００１】
本開示は、ＰｉｎＰ（Picture in Picture）機能を有する表示制御装置に関する。
【背景技術】
【０００２】
一の画像中に別の画像を表示するＰｉｎＰ（Picture in Picture）機能を有する表示制御装置が知られている。例えば、特許文献１は、それぞれ異なるテレビ放送局から同時に放送されている、一の放送番組の画像と、他の放送番組の画像とを一画面中に表示するテレビ受像機を開示している。特許文献１では、一方の放送番組の画像を親画像とし、他方の放送番組の画像を子画像としてＰｉｎＰ表示している。
【先行技術文献】
【特許文献】
【０００３】
【特許文献１】特開平９−１６３２６０号公報
【発明の概要】
【発明が解決しようとする課題】
【０００４】
本開示は、より好適なＰｉｎＰ表示を行なうことができる表示制御装置を提供する。
【課題を解決するための手段】
【０００５】
本開示に係る表示制御装置は、表示部で表示される映像を制御する表示制御装置である。表示制御装置は、第１の画像及び第１の画像に重畳した第２の画像を含む画像を生成して表示部に表示させる制御部を備える。制御部は、第１のモードに設定されているときは、第１の画角の第１の画像を表示部に表示するよう制御し、第２のモードに設定されているときは、第１の画角よりも広角な第２の画角の第１の画像を表示部に表示するよう制御する。第２のモードは、第２の画角の第１の画像の領域中における第２の画像の領域を設定するためのモードである。
【発明の効果】
【０００６】
本発明の表示制御装置によれば、より好適なＰｉｎＰ表示を行なうことができる。
【図面の簡単な説明】
【０００７】
【図１】本実施形態のテレビ会議システムの構成図
【図２】２つの拠点間を接続したテレビ会議システムの利用形態を示した図
【図３】メイン画像中にＰｉｎＰ画像を表示するＰｉｎＰ表示機能を説明した図
【図４】リモートカメラの電気的構成図
【図５】撮像画像領域、メイン画像領域、及びＰｉｎＰ画像領域を説明した図
【図６】表示装置の電気的構成図
【図７】赤外線リモコンの電気的構成図
【図８】リモートカメラを操作するための操作画面を説明した図
【図９】ＰｉｎＰ表示選択釦が操作されたときの表示装置の動作を示すフローチャート
【図１０】制御対象選択釦が操作されたときの表示装置の動作を示すフローチャート
【図１１】制御対象選択釦が操作されたときの画面遷移を説明した図
【図１２】ＨＤＭＩ出力時の出力アスペクト比の切り替え時の表示装置の動作を示すフローチャート
【図１３】出力アスペクト比の切り替え時の画面遷移を説明した図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
〔実施の形態１〕
図１は、実施の形態１にかかるテレビ会議システムのシステム構成図である。図１に示すように、実施の形態１にかかるテレビ会議システム１００は、リモートカメラ２００と、リモートカメラ２００とＨＤＭＩケーブル１１０を介して接続された表示装置３００とを備える。
【００１０】
図２は、実施の形態１のテレビ会議システム１００で２つの拠点Ａ、Ｂ間を接続した時の構成を示した図である。２つの拠点Ａ、Ｂ間において、リモートカメラ２００と表示装置３００はネットワークを経由して接続されてもよい。
【００１１】
テレビ会議システム１００においては、リモートカメラ２００に対する赤外線リモコン４００の操作や、表示装置３００の操作により、表示装置３００に表示するＰｉｎＰ画像の表示を制御することができる。ここで、ＰｉｎＰ画像とは、図３に示すような、メイン画像８００中に表示される別の画像８１０である。本実施形態のテレビ会議システム１００は、表示装置３００上に、メイン画像８００とともにこのようなＰｉｎＰ画像を表示させるＰｉｎＰ表示機能を有する。
【００１２】
以下、テレビ会議システム１００の構成および動作について順に説明する。
【００１３】
〔１−１．構成〕
〔１−１−１．リモートカメラ〕
図４は、リモートカメラ２００の電気的構成図である。リモートカメラ２００の構成について、図４を用いて説明する。
【００１４】
図４に示すように、リモートカメラ２００は、コントローラ２１０、レンズ２２０、ＣＭＯＳイメージセンサ２３０、画像処理部２４０、メモリ２５０、ＨＤＭＩインタフェース２６０、及び赤外線受光部２７０を備える。
【００１５】
コントローラ２１０は、リモートカメラ２００全体の動作を統括制御する。コントローラ２１０は、プログラム等の情報を格納するＲＯＭ（不図示）、プログラム等の情報を処理するＣＰＵ（不図示）等により構成される。ＲＯＭは、レンズ制御や、デジタルズーム制御に関するプログラムの他、リモートカメラ２００全体の動作を統括制御するためのプログラムを格納している。コントローラ２１０は、垂直同期信号（ＶＤ）に基づいて、ＣＭＯＳイメージセンサ２３０及び画像処理部２４０などに制御信号を送信する。コントローラ２１０は、ハードワイヤードな電子回路で構成してもよいし、マイクロコンピュータなどで構成してもよい。また、後述する画像処理部２４０などと共に１つの集積回路として構成してもよい。なお、ＲＯＭはコントローラ２１０の内部構成である必要はなく、コントローラ２１０の外部に備わったものでもよい。
【００１６】
レンズ２２０は、フォーカスレンズ等の光学系を含む。リモートカメラ２００は、図示していないが、ズームレンズ、絞り、メカニカルシャッタ、光学式手ぶれ補正レンズを含んでいてもよい。レンズ２２０を構成する各種レンズは何枚から構成されるものでも、何群から構成されるものでもよい。
【００１７】
ＣＭＯＳイメージセンサ２３０は、レンズ２２０を通して形成された被写体像を撮像して画像データを生成する。ＣＭＯＳイメージセンサ２３０は、所定のフレームレート（例えば、３０フレーム／秒）で新しいフレームの画像データを生成する。ＣＭＯＳイメージセンサ２３０の画像データ生成タイミングおよび電子シャッタ動作は、コントローラ２１０によって制御される。なお、ＣＭＯＳイメージセンサ２３０に代えて、ＣＣＤイメージセンサやＮＭＯＳイメージセンサなど、他の撮像素子を用いても良い。
【００１８】
画像処理部２４０は、ＣＭＯＳイメージセンサ２３０から出力された画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部２４０は、ハードワイヤードな電子回路で構成してもよいし、これらの処理を行うためのプログラムを実行するマイクロコンピュータ等で構成してもよい。また、コントローラ２１０等と共に１つの集積回路として構成してもよい。
【００１９】
メモリ２５０は、コントローラ２１０及び画像処理部２４０のワークメモリとして機能する記憶媒体である。メモリ２５０はＤＲＡＭ（Ｄｙｎａｍｉｃ  Ｒａｎｄｏｍ  Ａｃｃｅｓｓ  Ｍｅｍｏｒｙ）などで実現できる。メモリ２５０は、撮像画像記憶領域２５０ａと、出力画像記憶領域２５０ｂを有する。撮像画像記憶領域２５０ａは、ＣＭＯＳイメージセンサ２３０が撮像した画像を一時的に記憶させておくための記憶領域である。出力画像記憶領域２５０ｂは、表示装置３００に出力する画像を一時的に記憶させておくための記憶領域である。なお、本例では、ＣＭＯＳイメージセンサ２３０が撮像した画像の一部の領域を、表示装置３００に出力する画像とする。このため、ＣＭＯＳイメージセンサ２３０が撮像した画像の画角は、表示装置３００に出力する画像の画角よりも大きくなる。
【００２０】
ＨＤＭＩインタフェース２６０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した通信を実施するための通信インタフェースである。ＨＤＭＩインタフェース２６０は、画像・音声等の各種デジタル信号を双方向に伝送することができる。ＨＤＭＩインタフェース２６０は、ＨＤＭＩケーブル１１０を介して、他の電子機器のＨＤＭＩに電気的に接続される。すなわち、リモートカメラ２００は、ＨＤＭＩケーブル１１０を介して、他の電子機器（表示装置３００など）に電気的に接続される。これにより、リモートカメラ２００は、他の電子機器に対して画像・音声等の各種デジタル信号を送信したり、他の電子機器から制御コマンド等の各種デジタル信号を受信したりすることができる。なお、ＨＤＭＩインタフェース２６０に換えて、有線ＬＡＮ（Ｌｏｃａｌ  Ａｒｅａ  Ｎｅｔｗｏｒｋ）や無線ＬＡＮなど、他の接続手段を用いても良い。
【００２１】
赤外線受光部２７０は、赤外線リモコン４００からの赤外線信号を受信するためのインタフェースである。赤外線受光部２７０で受信した赤外線信号は、コントローラ２１０に送信される。コントローラ２１０は、受信した赤外線信号に基づいて各種の制御を実行する。赤外線受光部２７０は、リモートカメラ２００に必須の構成要素ではない。但し、赤外線受光部２７０を備えていることによって、赤外線リモコン４００から送信される赤外線信号を受信することができ、使用者に対して、複数の操作方法を提供することができる。
【００２２】
〔１−１−１−１．撮像領域における画像領域〕
図５は、ＣＭＯＳイメージセンサ２３０により撮像された全画像領域において表示に使用される各領域を説明するための図である。撮像画像領域９００は、ＣＭＯＳイメージセンサ２３０の撮像によって得られる画像領域の全領域である。メイン画像領域９１０は、撮像画像領域９００のうちの一部の領域であって、後述のメイン画像８００が制御対象として選択されているときに、表示装置３００上でメイン画面として採用（表示）される画像領域である。ＰｉｎＰ画像領域９２０Ａ〜９２０Ｃは、撮像画像領域９００のうち、表示装置３００上でＰｉｎＰ画像として採用（表示）される画像領域の例である。図５は、ＰｉｎＰ画像領域として採用可能な画像領域のバリエーション９２０Ａ〜９２０Ｃを例示している。ＰｉｎＰ画像領域９２０Ａは、メイン画像領域９１０内に完全に包含されるＰｉｎＰ画像領域を設定した場合の例である。ＰｉｎＰ画像領域９２０Ｂは、メイン画像領域９１０と一部が重なるようにＰｉｎＰ画像領域を設定した場合の例である。ＰｉｎＰ画像領域９２０Ｃは、メイン画像領域９１０の外側の画像領域をＰｉｎＰ画像領域として設定した場合の例である。このように、本テレビ会議システム１００では、撮像画像領域９００の一部の領域がＰｉｎＰ画像領域として切り出され、表示装置３００に表示される。すなわち、撮像画像領域９００内であれば、メイン画像領域９１０の外側であっても内側であっても、後述するＰｉｎＰ画像領域を設定するモードにおいて、ワイド端方にシフトしたメイン画像８００の領域の範囲内であれば、ＰｉｎＰ画像領域として採用することができる。これにより、テレビ会議システム１００の用途に応じて適切なＰｉｎＰ画像を表示させることができる。
【００２３】
〔１−１−２．表示装置〕
図６は、表示装置３００の電気的構成図である。表示装置３００の構成について、図６を用いて説明する。
【００２４】
図６に示すように、表示装置３００は、コントローラ３１０、ＨＤＭＩインタフェース３２０、画像処理部３３０、メモリ３４０、液晶ディスプレイ３５０、操作部３６０を備える。
【００２５】
コントローラ３１０は、表示装置３００全体の動作を統括制御する。コントローラ３１０は、プログラム等の情報を格納するＲＯＭ（不図示）、プログラム等の情報を処理するＣＰＵ（不図示）等により構成される。ＲＯＭは、表示制御に関するプログラムの他、表示装置３００全体の動作を統括制御するためのプログラムを格納している。コントローラ３１０は、垂直同期信号（ＶＤ）に基づいて、画像処理部３３０及び液晶ディスプレイ３５０などに制御信号を送信する。コントローラ３１０は、ハードワイヤードな電子回路で構成してもよいし、マイクロコンピュータなどで構成してもよい。また、後述する画像処理部３３０などと共に１つの集積回路として構成してもよい。なお、ＲＯＭはコントローラ３１０の内部構成である必要はなく、コントローラ３１０の外部に備わったものでもよい。
【００２６】
ＨＤＭＩインタフェース３２０は、ＨＤＭＩ規格に準拠した通信を実施するための通信インタフェースである。ＨＤＭＩインタフェース３２０は、画像・音声等の各種デジタル信号を双方向に伝送することができる。ＨＤＭＩインタフェース３２０は、ＨＤＭＩケーブル１１０を介して、他の電子機器のＨＤＭＩに電気的に接続される。すなわち、表示装置３００は、ＨＤＭＩケーブル１１０を介して、他の電子機器（リモートカメラ２００など）に電気的に接続される。これにより、表示装置３００は、他の電子機器から画像・音声等の各種デジタル信号を受信したり、他の電子機器に対して制御コマンド等の各種デジタル信号を送信したりすることができる。なお、ＨＤＭＩインタフェース３２０に換えて、有線ＬＡＮ（Ｌｏｃａｌ  Ａｒｅａ  Ｎｅｔｗｏｒｋ）や無線ＬＡＮなど、他の接続手段を用いても良い。
【００２７】
画像処理部３３０は、ＨＤＭＩインタフェース３２０を介して取得した画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部３３０は、ハードワイヤードな電子回路で構成してもよいし、これらの処理を行うためのプログラムを実行するマイクロコンピュータ等で構成してもよい。また、コントローラ３１０等と共に１つの集積回路として構成してもよい。
【００２８】
メモリ３４０は、コントローラ３１０や、画像処理部３３０のワークメモリとして機能する記憶媒体である。メモリ３４０はＤＲＡＭ（Ｄｙｎａｍｉｃ  Ｒａｎｄｏｍ  Ａｃｃｅｓｓ  Ｍｅｍｏｒｙ）などで実現できる。メモリ３４０は、出力画像記憶領域３４０ａを有する。出力画像記憶領域３４０ａは、液晶ディスプレイ３５０に出力する画像を一時的に記憶させておくための記憶領域である。
【００２９】
液晶ディスプレイ３５０は、画像処理部３３０にて処理されメモリ３４０内の出力画像記憶領域３４０ａに記憶された画像を表示する。なお、液晶ディスプレイ３５０に代えて、有機ＥＬディスプレイなど、他の表示デバイスを用いてもよい。
【００３０】
操作部３６０は、表示装置３００に備わっているキーボード及びマウス等の総称であり、ユーザによる操作を受け付ける。操作部３６０は、ユーザによる操作を受け付けると、コントローラ３１０に種々の動作指示信号を送信する。
【００３１】
〔１−１−３．赤外線リモコン〕
図７は、赤外線リモコン４００の電気的構成図である。赤外線リモコン４００の構成について、図７を用いて説明する。
【００３２】
図７に示すように、赤外線リモコン４００は、操作部４１０、コントローラ４２０、赤外線送信部４３０を備える。
【００３３】
操作部４１０は、赤外線リモコン４００に備わっている十字キーや、ナンバーキー等の総称であり、ユーザによる操作を受け付ける。操作部４１０は、ユーザによる操作を受け付けると、コントローラ４２０に種々の動作指示信号を通知する。
【００３４】
コントローラ４２０は、赤外線リモコン４００全体の動作を統括制御する。コントローラ４２０は、操作部４１０から受信された動作指示信号に基づいて、制御信号を生成する。コントローラ４２０は、生成した制御信号を赤外線送信部４３０に送信する。
【００３５】
赤外線送信部４３０は、リモートカメラ２００の赤外線受光部２７０に赤外線信号を送信するためのインタフェースである。赤外線送信部４３０は、コントローラ４２０から受信した制御信号に基づいて、赤外線信号を外部に発信する。
【００３６】
なお、赤外線リモコン４００は、テレビ会議システム１００に必須の構成ではない。但し、赤外線通信に対応していることにより、使用者に対して、複数の操作方法を提供することができる。
【００３７】
〔１−１−３−１．リモートカメラの操作画面〕
図８は、リモートカメラ２００を操作する画面の一例を示す図である。図８を用いて、リモートカメラ２００を操作するための画面について説明する。
【００３８】
図８に示す表示画面５００は、リモートカメラ２００で作成され、ＨＤＭＩケーブル１１０を介して表示装置３００に送信され、表示装置３００の液晶ディスプレイ３５０に表示される。尚、図８に示す表示画面は、リモートカメラ２００側ではなく、表示装置３００側で作成するようにしてもよい。表示画面５００は、カメラ画像表示領域５１０、ズーム指示釦５２０、方向指示釦５３０、制御対象選択釦５４０、ＰｉｎＰ表示選択釦５５０等を有している。表示画面５００の各種釦５２０、５３０、・・・は、表示装置３００の操作部３６０により操作される。
【００３９】
なお、表示画面５００において、ズーム指示釦５２０、方向指示釦５３０、制御対象選択釦５４０、ＰｉｎＰ表示選択釦５５０は必須の構成要素ではない。リモートカメラ２００の操作を赤外線リモコン４００等の他の操作手段を用いて行う場合は、これらの構成要素はなくてもよい。
【００４０】
表示画面５００の各構成要素について説明する。カメラ画像表示領域５１０は、リモートカメラ２００から出力されたリアルタイム画像を表示する領域である。
【００４１】
ズーム指示釦５２０は、望遠方向（画像拡大方向）のズーム指示釦と、広角方向（画像縮小方向）のズーム指示釦とを含む。ユーザは、表示装置３００の操作部３６０を操作して、ズーム指示釦５２０のいずれかの方向の釦を押下することにより、リモートカメラ２００に対して望遠方向または広角方向へのズーム指示を行う。操作部３６０の操作によりズーム指示を受け付けると、コントローラ３１０は、ＨＤＭＩインタフェース３２０及びＨＤＭＩケーブル１１０を介して、リモートカメラ２００にズーム指示する。リモートカメラ２００のコントローラ２１０は、表示装置３００からのズーム指示に従ってズーム制御を行なう。そして、リモートカメラ２００は、ズーム指示内容が反映された画像を、ＨＤＭＩインタフェース２６０及びＨＤＭＩケーブル１１０を介して表示装置３００に送信する。これにより、カメラ画像表示領域５１０に、ズーム指示内容が反映された画像が表示される。
【００４２】
方向指示釦５３０は、上下左右方向の移動指示釦を含む。ユーザは、操作部３６０を操作して、方向指示釦５３０のいずれかの方向の釦を押下することにより、リモートカメラ２００により撮影される被写体の位置を変更することができる。
【００４３】
制御対象選択釦５４０は、メイン画面とＰｉｎＰ画面のいずれを、ズーム指示釦５２０および方向指示釦５３０による制御対象とするかを設定するための釦である。ユーザは、表示装置３００の操作部３６０を操作して、制御対象選択釦５４０のうちのメイン画面釦かＰｉｎＰ画面釦のいずれかを押下する。これにより、リモートカメラ２００に対する、ズーム指示釦５２０または方向指示釦５３０に基づく指示を、メイン画像とＰｉｎＰ画像のどちらの制御に対して適用するかを選択することができる。
【００４４】
ＰｉｎＰ表示選択釦５５０は、ＰｉｎＰ表示のＯＮ/ＯＦＦを切り替えるための釦である。ユーザにより、操作部３６０が操作されて、ＰｉｎＰ表示の「ＯＮ」が選択されると、メイン画面の右上にＰｉｎＰ画像を重畳した合成画像がリモートカメラ２００から表示装置３００に出力される。これにより、表示画面５００のカメラ画像表示領域５１０に、リモートカメラ２００から出力された合成画像（ＰｉｎＰ画像）が表示される。ＰｉｎＰ表示の「ＯＦＦ」が選択された場合は、ＰｉｎＰ画像は重畳されず、メイン画面のみリモートカメラ２００から表示装置３００に出力される。これにより、カメラ画像表示領域５１０にメイン画面のみが表示される。
【００４５】
〔１−２．動作〕
実施の形態１にかかるテレビ会議システム１００の動作について順次説明する。
【００４６】
〔１−２−１．ＰｉｎＰ表示選択釦の操作時の動作〕
図９は、図８に示す表示画面５００においてＰｉｎＰ表示選択釦５５０が操作されたときの動作を示すフローチャートである。図９を用いて、ＰｉｎＰ表示選択釦５５０を操作したときの動作を説明する。
【００４７】
表示装置３００のコントローラ３１０は、ＰｉｎＰ表示選択釦５５０に対するユーザによる操作（ＯＮ/ＯＦＦ）を監視している（Ｓ６００）。ユーザがＰｉｎＰ表示選択釦５５０を操作して、ＰｉｎＰ画像の「ＯＦＦ」を指示する釦が押下された場合（Ｓ６００におけるＮＯ）、表示装置３００のコントローラ３１０は、ＰｉｎＰ画像を出力せずメイン画像のみを出力する旨の指示（ＰｉｎＰ表示ＯＦＦの指示）を、ＨＤＭＩインタフェース３２０経由でリモートカメラ２００に送信する。なお、リモートカメラ２００へのＰｉｎＰ表示のＯＮ／ＯＦＦの指示は、表示装置３００からＨＤＭＩインタフェース３２０、２６０経由で行なってもよいし、赤外線リモコン４００を使用してリモートカメラ２００内部に付属している赤外線受光部２７０経由で行なってもよい。
【００４８】
リモートカメラ２００のコントローラ２１０は、ＰｉｎＰ表示ＯＦＦの指示を受信した場合、メモリ２５０の出力画像記憶領域２５０ｂにメイン画像のデータのみ書き込みを行い、その後、出力画像記憶領域２５０ｂに書き込んだメイン画像のデータをＨＤＭＩインタフェース２６０を介して表示装置３００に出力する。
【００４９】
表示装置３００のコントローラ３１０は、リモートカメラ２００からＨＤＭＩインタフェース３２０経由で入力された画像データが示す画像（ＰｉｎＰ画像なしのメイン画面）を、液晶ディスプレイ３５０上のカメラ画像表示領域５１０に表示する（Ｓ６１０）。
【００５０】
一方、ＰｉｎＰ表示選択釦５５０のうちＰｉｎＰ画像の「ＯＮ」を指示する釦が押下された場合（Ｓ６００におけるＹＥＳ）、表示装置３００のコントローラ３１０は、メイン画像にＰｉｎＰ画像を重畳した合成画像を出力する旨の指示（ＰｉｎＰ表示ＯＮの指示）を、ＨＤＭＩインタフェース３２０経由でリモートカメラ２００に送信する。リモートカメラ２００のコントローラ２１０は、ＰｉｎＰ表示ＯＮの指示を受信すると、メモリ２５０の出力画像記憶領域２５０ｂにおいて、メイン画像の書き込みを行った後メイン画像の画像右上にＰｉｎＰ画像を重畳させて書き込みを行って、合成画像を生成する。その後、コントローラ２１０は、出力画像記憶領域２５０ｂに書き込んだ合成画像を、ＨＤＭＩインタフェース２６０を介して表示装置３００に出力する。
【００５１】
表示装置３００のコントローラ３１０は、リモートカメラ２００からＨＤＭＩインタフェース３２０経由で入力した合成画像を、液晶ディスプレイ３５０のカメラ画像表示領域５１０に表示する（Ｓ６２０）。
【００５２】
尚、ＰｉｎＰ画像をメイン画像に重畳する位置は右上に限定されず、ユーザ操作による設定により画面の右上、左上、左下、右下等の任意の位置を選択できるようにしてもよい。
【００５３】
〔１−２−２．制御対象選択釦の操作時の動作〕
図１０は、制御対象選択釦５４０が操作されたときの表示装置３００の動作を示すフローチャートである。図１０を用いて、制御対象選択釦５４０が操作されたときの表示装置３００の動作を説明する。
【００５４】
表示装置３００のコントローラ３１０は、制御対象選択釦５４０についてメイン画像釦またはＰｉｎＰ画像釦のいずれかが選択されたか否かを監視している。図１０のフローチャートに示す処理は、制御対象選択釦５４０についてメイン画像釦またはＰｉｎＰ画像釦のいずれかが選択されたときに実行される。
【００５５】
ユーザにより制御対象選択釦５４０のうちメイン画像釦が押下された場合（Ｓ７００におけるＮＯ）、表示装置３００のコントローラ３１０は、制御対象をメイン画像とする旨の指示を、ＨＤＭＩインタフェース３２０経由でリモートカメラ２００に送信する（Ｓ７０５）。リモートカメラ２００のコントローラ２１０は、制御対象をメイン画像とする旨の指示を受信する。この状態で表示装置３００からズーム指示釦５２０の操作指示内容が通知されると、リモートカメラ２００のコントローラ２１０は、画像処理部２４０に対して、メイン画像のみを、操作指示内容に基づきズーム処理するように指示する。
【００５６】
尚、リモートカメラ２００におけるズーム処理は、画像処理部２４０による電子ズーム処理に限定されず、レンズ２２０による光学的なズーム処理でもよい。
【００５７】
リモートカメラ２００の画像処理部２４０では、垂直同期信号（ＶＤ）に基づいて、メイン画像とＰｉｎＰ画像に対して交互に処理を行っている。すなわち、メイン画像を処理しているタイミングにおいて、デジタルズーム処理を行い、デジタルズーム処理された画像をメモリ２５０に書き込み、ＨＤＭＩインタフェース２６０を経由して出力する。方向指示釦５３０が操作された場合、コントローラ２１０は、メイン画像が示す被写体の位置を変更するように、画像処理部２４０に対して指示する。
【００５８】
画像処理部２４０は、メイン画像の画像処理を行うタイミングにおいて、ＣＭＯＳイメージセンサ２３０から出力された撮像画像（メモリ２５０の撮像画像記憶領域２５０ａに書き込まれた画像）における、メイン画像として採用する画像領域の位置を、方向指示釦５３０の操作にしたがい変更する。画像処理部２４０は、変更した画像領域の画像データをメモリ２５０の出力画像記憶領域２５０ｂに書き込み、ＨＤＭＩインタフェース２６０を経由して出力する。表示装置３００のコントローラ３１０は、リモートカメラ２００からＨＤＭＩインタフェース３２０経由で入力された画像データが示す画像をカメラ画像表示領域５１０に表示する。
【００５９】
次に、ユーザがＰｉｎＰ画像を制御対象として選択した場合を説明する。図１０のフローチャートにおいて、ユーザにより制御対象選択釦５４０のうちＰｉｎＰ画像釦が押下された場合（Ｓ７００におけるＹＥＳ）、表示装置３００のコントローラ３１０は、メイン画像が示す画像の範囲がより広くなるようにＨＤＭＩインタフェース３２０経由でリモートカメラ２００に指示を行う（Ｓ７１０）。すなわち、コントローラ３１０は、メイン画像のズームポジションをワイド端へ移動させるようにリモートカメラ２００に指示を行う（Ｓ７１０）。
【００６０】
ＰｉｎＰ画像が制御対象になっているとき、ユーザは、ズーム指示釦５２０や方向指示釦５３０を操作することで、撮像画像の全領域のうちの任意の画像領域をＰｉｎＰ画像として設定できる。ＰｉｎＰ画像が制御対象になったときに、コントローラ２１０がメイン画像が示す画像の範囲をより広くすることにより（すなわち、ズームポジションをワイド端へ移動することにより）、ユーザは、ＰｉｎＰ画像の現在または将来の設定位置をより把握しやすくなる。すなわち、メイン画像を最も広角な画像に変更されることで、ユーザは、撮像画像領域全体におけるＰｉｎＰ画像の相対的な位置関係を把握しやすくなる。よって、ユーザは、撮像画像領域における、現在設定されているＰｉｎＰ画像領域の位置を把握しやすくなる。また、ユーザは、撮像画像の領域中のいずれの位置にＰｉｎＰ画像を設定すればよいかを、把握しやすくなる。
【００６１】
本実施形態では、ＰｉｎＰ画像の設定位置の操作時に、よりユーザが把握しやすいように、ズームポジションをワイド端に移動させた。しかし、ズームポジションはワイド端まで移動させなくてもよい。ＰｉｎＰ画像が制御対象とされる直前まで表示されていたメイン画像の画角よりも、よりワイド端側の画角になるよう、ズームポジションをシフトさせてもよい。このような方法であっても、ユーザは、撮像画像領域全体におけるＰｉｎＰ画像の相対的な位置関係を把握しやすくなる。
【００６２】
リモートカメラ２００のコントローラ２１０は、メイン画像のズームポジションをワイド端へ移動する指示を受け取ると、画像処理部２４０に対して、メイン画像をワイド端にズームするように指示する。画像処理部２４０は、メイン画像の画像処理をしているタイミングにおいて、ズームポジションがワイド端になるようズーム処理を行い、撮像した画像データをメモリ２５０に書き込み、ＨＤＭＩインタフェース２６０経由で出力する。表示装置３００は、ＨＤＭＩインタフェース３２０を介して、ズームポジションがワイド端に移動したメイン画像を含む合成画像をリモートカメラ２００から取得する（Ｓ７２０）。
【００６３】
そして、表示装置３００のコントローラ３１０は、リモートカメラ２００からＨＤＭＩインタフェース３２０経由で取得した合成画像を、液晶ディスプレイ３５０のカメラ画像表示領域５１０に表示する（Ｓ７３０）。これにより、ユーザがＰｉｎＰ画像の領域や位置を把握しやすい（すなわち、ＰｉｎＰ画像を制御しやすい）合成画像が表示装置３００に表示された状態になる。
【００６４】
この状態において、表示装置３００のコントローラ３１０は、ズーム指示釦５２０や方向指示釦５３０が操作されたか否かを監視している（Ｓ７４０）。ズーム指示釦５２０または方向指示釦５３０が操作された場合（Ｓ７４０におけるＹＥＳ）、コントローラ３１０は、操作内容に従ってリモートカメラ２００に対して指示を行う（Ｓ７５０）。
【００６５】
例えば、ズーム指示釦５２０が操作された場合、コントローラ３１０は、リモートカメラ２００の画像処理部２４０に対して、メイン画像に対してはズーム処理をせず、ＰｉｎＰ画像のみをズーム処理するように指示する。画像処理部２４０は、ＰｉｎＰ画像の画像処理をしている期間のみ、ＰｉｎＰ画像に対してデジタルズーム処理を行う。そして、画像処理部２４０は、メモリ２５０の出力画像記憶領域２５０ｂに、デジタルズーム処理後のＰｉｎＰ画像を含む合成画像を書き込む。その後、ＨＤＭＩインタフェース２６０経由で合成画像が出力される。
【００６６】
方向指示釦５３０が操作された場合も同様に、コントローラ３１０は、リモートカメラ２００の画像処理部２４０に対して、撮像画像の画像領域における、新たなＰｉｎＰ画像の読み出し位置を指示する。画像処理部２４０では、垂直同期信号に基づいて、ＰｉｎＰ画像の画像処理をしている期間において、撮像画像の領域におけるＰｉｎＰ画像の読み出し位置を変更する。変更後の読み出し位置の画像データがメモリ２５０に書き込まれ、ＨＤＭＩインタフェース２６０経由で出力される。
【００６７】
表示装置３００のコントローラ３１０は、リモートカメラ２００からＨＤＭＩインタフェース３２０経由で受信した画像データが示す画像をカメラ画像表示領域５１０に表示する。
【００６８】
この状態において、表示装置３００のコントローラ３１０は、メイン画像が制御対象として選択されたか否かを監視している（Ｓ７６０）。表示装置３００のコントローラ３１０は、メイン画像が制御対象として再び選択されるまで、すなわちＰｉｎＰ画像が制御対象として選択されている間は、ステップＳ７３０からステップＳ７６０の動作を繰り返す。
【００６９】
その後、メイン画像が制御対象として選択された場合（Ｓ７６０におけるＹＥＳ）、表示装置３００のコントローラ３１０は、メイン画像が再びステップＳ７００以前の画角に復帰させるようリモートカメラ２００に指示する（Ｓ７７０）。そして、表示装置３００のコントローラ３１０は、以前の画角のメイン画像（以前のズームポジションで撮影されたメイン画像）を含む画像データをリモートカメラ２００から受信し、受信した画像データが示す画像をカメラ画像表示領域５１０に表示する（Ｓ７８０）。以上により、撮像画像が示す画像領域のうちいずれの画像領域をＰｉｎＰ画像とするかの設定が完了する。
【００７０】
図１１は、制御対象選択釦５０４が操作されたときの画面の遷移を説明した図である。以下、図１１（Ａ）から図１１（Ｅ）を用いて、制御対象選択釦５４０が操作されたときの画面遷移について説明する。
【００７１】
図１１（Ａ）は、メイン画像８００が制御対象として選択されており、ＰｉｎＰ画像８１０の表示がＯＦＦに選択されているときの、カメラ画像表示領域５１０に表示された画面の例を示した図である。このとき、ＰｉｎＰ画像８１０の表示がＯＦＦに選択されているため、カメラ画像表示領域５１０にはＰｉｎＰ画像８１０は表示されない。また、メイン画像８００が制御対象として選択されているため、ユーザは、ズーム指示釦５２０や方向指示釦５３０を操作することにより、撮像画像の全画像領域において、いずれの画像領域をメイン画像とするかを設定することができる。
【００７２】
図１１（Ｂ）は、図１１（Ａ）の画面から遷移した画面を示している。図１１（Ｂ）は、メイン画像８００が制御対象として選択されたままであり、ＰｉｎＰ画像８１０の表示がＯＮに選択されたときの画面例を示す図である。このとき、ＰｉｎＰ画像８１０の表示がＯＮに選択されたため、カメラ画像表示領域５１０は、メイン画像８００にＰｉｎＰ画像８１０が重畳された合成画像を表示する。
【００７３】
図１１（Ｃ）は、図１１（Ｂ）の画面から遷移した画面を示している。図１１（Ｃ）は、ＰｉｎＰ画像８１０の表示がＯＮに選択されたままであり、ＰｉｎＰ画像８１０が制御対象として選択されたときの画面の例を示す図である。このとき、ＰｉｎＰ画像８１０が制御対象に選択されたことに伴い、破線枠８２０がメイン画像８００に重畳されて表示されている。この破線枠８２０は、メイン画像８００の画像領域においてＰｉｎＰ画像８１０として読み出している領域を示している。この破線枠８２０により、ユーザは、メイン画像８００が示す画像領域のうち、いずれの画像領域がＰｉｎＰ画像８１０として設定されているかを把握することができる。また、ＰｉｎＰ画像８１０が制御対象に選択されたことに伴い、メイン画像８００が示す画像領域の画角（ズームポジション）が、ワイド端にシフトしている。これにより、ユーザは、撮像画像のうちＰｉｎＰ画像として現在設定されている画像領域の位置および、撮像画像のうちいずれの画像領域にＰｉｎＰ画像としての設定位置を変更させればよいかを、把握しやすくなる。図１１（Ｃ）の画面が表示された状態において、ユーザは、より広角なメイン画像の領域中においてＰｉｎＰ画像の領域を設定することができる。
【００７４】
図１１（Ｄ）は、図１１（Ｃ）の画面から遷移した画面を示している。図１１（Ｄ）は、ＰｉｎＰ画像８１０の表示がＯＮに選択されたままであり、ＰｉｎＰ画像８１０が制御対象として選択されたままである。図１１（Ｄ）では、ＰｉｎＰ画像の設定位置を示す破線枠８２０が、方向指示釦５３０の操作により、図１１（Ｃ）に示す位置から移動している。このとき、ＰｉｎＰ画像の設定位置を示す破線枠８２０の位置の移動に伴って、ＰｉｎＰ画像８１０の表示内容も変化している。これにより、ユーザは、ＰｉｎＰ画像の設定位置を移動させながら、ＰｉｎＰ画像８１０の表示内容がどのように変更されるかを把握しやすくなる。また、このとき、ＰｉｎＰ画像８１０が制御対象として選択されたままであるので、メイン画像８００が示す画像領域の画角（ズームポジション）は、ワイド端に維持されたままとなる。これにより、ユーザは、撮像画像のうちいずれの画像領域にＰｉｎＰ画像としての設定位置を変更させればよいか把握しながら、ＰｉｎＰ読み出し位置を移動させることができる。
【００７５】
図１１（Ｅ）は、図１１（Ｄ）に示す画面から遷移した画面を示している。図１１（Ｅ）は、ＰｉｎＰ画像８１０の表示はＯＮに選択されたままであるが、制御対象がＰｉｎＰ画像８１０からメイン画像８００に変更されたときの画面を示す図である。制御対象がＰｉｎＰ画像８１０からメイン画像８００に変更されたことに伴い、ＰｉｎＰ画像の設定位置を示す枠８２０が表示されなくなっている。また、制御対象がＰｉｎＰ画像８１０からメイン画像８００に変更されたことに伴い、ＰｉｎＰ画像の設定位置の設定操作が完了したとみなし、メイン画像８００が示す画像領域の画角（ズームポジション）を、制御対象がＰｉｎＰ画像８１０に選択された直前の画角（ズームポジション）に復帰させている。以上の方法により、撮像画像が示す画像領域において、所望の画像領域をＰｉｎＰ画像に設定することができる。
【００７６】
〔１−２−３．アスペクト比の切替時の動作〕
図１２は、ＨＤＭＩインタフェース経由での画像出力時におけるアスペクト比の切り替え時の動作を示すフローチャートである。図１２を用いて、ＨＤＭＩ出力時の画像のアスペクト比の切り替えの動作について説明する。
【００７７】
リモートカメラ２００のコントローラ２１０は、メイン画面のアスペクト比に変更があるか否かを監視している（Ｓ９００）。ユーザは、リモートカメラ２００のメニュー操作により、ＨＤＭＩ出力時の出力画像のアスペクト比の切り替えを行うことができる。リモートカメラ２００のアスペクト比に変更があった場合（Ｓ９００におけるＹＥＳ）、リモートカメラ２００のコントローラ２１０は、リモートカメラ２００の画像処理部２４０に対して、ＰｉｎＰ画像を重畳させる位置をシフトするように指示を行う（Ｓ９１０）。
【００７８】
ここで、１６：９の出力アスペクトの設定時であって、ＰｉｎＰ画像をメイン画像が示す画像領域の右上端に表示している場合に、出力アスペクトが４：３サイドカットに変更された場合を例に説明する。このとき、メイン画像が示す画像領域において、ＰｉｎＰ画像を重畳させる位置を内側に移動させる。具体的には、画像処理部２４０は、４：３サイドカットによりメイン画像に重畳されたＰｉｎＰ画像が表示されなくなるのを防ぐために、ＰｉｎＰ画像の位置を少なくともサイドカットの幅の分だけ内側に移動させる。画像処理部２４０は、ＰｉｎＰ画像を画像処理しているタイミングにおいて、この処理を行う。画像処理部２４０は、メモリ２５０の出力画像記憶領域２５０ｂにＰｉｎＰ画像をメイン画像に重畳して書き込むときに、ＰｉｎＰ画像の書き込み位置をずらして書き込む。具体的には、ＰｉｎＰ画像の書き込み位置を、少なくともサイドカットにより表示されなくなるのを回避できる幅の分だけ、画面中心側にずらして、ＰｉｎＰ画像の書き込みを行う。リモートカメラ２００のコントローラ２１０は、メモリ２５０の出力画像記憶領域２５０ｂから、メイン画像と、画面内側にずらして書き込まれたＰｉｎＰ画像との合成画像を読み出し、画面左右にサイドブラックをつけてＨＤＭＩインタフェース２６０経由で出力する。
【００７９】
表示装置３００のコントローラ３１０は、画面左右にサイドブラックが付けられた合成画像をＨＤＭＩインタフェース３２０を介して、リモートカメラ２００から取得する（Ｓ９２０）。
【００８０】
そして、コントローラ３１０は、リモートカメラ２００から取得した合成画像を、液晶ディスプレイ３５０のカメラ画像表示領域５１０に表示する（Ｓ９３０）。
【００８１】
以上のように、出力アスペクト比の切り替え時には、ＰｉｎＰ画像の表示位置がシフトされる。なお、アスペクト比が４：３から１６：９に変更される場合、ＰｉｎＰ画像の表示位置は外側にシフトされてもよい。
【００８２】
図１３は、出力画像のアスペクト比の切り替え時の画面遷移を説明した図である。図１３（Ａ）は、出力アスペクトが１６：９に設定されているときの画面の例を示す図である。一方、図１３（Ｂ）は、図１３（Ａ）の状態から出力アスペクトが４：３サイドカットに設定変更されたときの画面の例を示す図である。図１３（Ｂ）に示すように、出力アスペクトが４：３サイドカットに設定変更されたときに、メイン画像に重畳させるＰｉｎＰ画像の画像領域がサイドカットに重ならないように、ＰｉｎＰ画像の位置を移動させている。これにより、ＰｉｎＰ画像が、サイドカットにより表示されなくなるのを回避することができる。
【００８３】
上記の例では、アスペクト比が４：３サイドカットに設定変更された場合を説明したが、サイドカットに限らず上下カットでもよい。この場合は、アスペクト比の設定変更に伴い、メイン画像に重畳させるＰｉｎＰ画像の領域が上下カットに重ならないように、ＰｉｎＰ画像の位置を移動させる。
【００８４】
また上記の例では、アスペクト比の切り替え操作をリモートカメラ２００側にて行なうようにしたが、表示装置３００からアスペクト比の切り替えを指示するように構成してもよい。
【００８５】
〔１−３．効果等〕
以上のように、表示装置３００は、液晶ディスプレイ３５０で表示される映像を制御する表示制御装置である。表示装置３００は、メイン画像及びメイン画像に重畳したＰｉｎＰ画像を含む画像を生成して液晶ディスプレイ３５０に表示させるコントローラ３１０を備える。コントローラ３１０は、メイン画面を制御対象にするモード（第１のモード）に設定されているときは、所定の画角（第１の画角）のメイン画像を液晶ディスプレイ３５０に表示するよう制御する。なお、第１のモードでは、メイン画像にＰｉｎＰ画像が重畳されて表示されているが、制御対象はメイン画面となっている。一方、ＰｉｎＰ画面を制御対象にするモード、すなわち、メイン画像の領域においてＰｉｎＰ画像の領域を設定するためのモード（第２のモード）に設定されているときは、コントローラ３１０は、より広角な画角のメイン画像を液晶ディスプレイ３５０に表示するよう制御する。これにより、ユーザは、撮像画像領域における、ＰｉｎＰ画像の現在の設定位置およびこれから設定するＰｉｎＰ画像の位置を把握しやすくなる。
【００８６】
また、コントローラ３１０は、撮像画像が示す画像領域より狭い範囲の画像領域をメイン画像として設定し、撮像画像が示す画像領域における所定の領域をＰｉｎＰ画像としてそれぞれ設定する。そして、コントローラ３１０は、設定されたメイン画像に、設定されたＰｉｎＰ画像を重畳させた合成画像を液晶ディスプレイ３５０に表示するよう制御する。これにより、液晶ディスプレイ３５０に表示されたメイン画像が示す画像領域の外側の画像領域を、ＰｉｎＰ画像として設定することもできる。
【００８７】
また、表示装置３００は、メイン画像と、ＰｉｎＰ画像とを取得し、取得されたメイン画像のうち、液晶ディスプレイ３５０への表示領域とする画像領域のアスペクト比に応じて、取得されたＰｉｎＰ画像をメイン画像に重畳させる位置を決定してもよい。その決定した位置に基づいてメイン画像にＰｉｎＰ画像を重畳させた合成画像を液晶ディスプレイ３５０に表示してもよい。これにより、ＰｉｎＰ画像の書き込み位置を、出力画像のアスペクト比の設定変更により表示されなくなるのを回避することができる。
【００８８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００８９】
上記の実施形態では、メイン画像に対して１つのＰｉｎＰ画像を重畳して表示する例を説明したが、ＰｉｎＰ画像の数は一つに限らない。メイン画像に対して、複数のＰｉｎＰ画像を重畳して表示させてもよい。
【００９０】
上記の実施形態では、ＰｉｎＰ機能に関する技術思想を、リモートカメラ２００と表示装置３００で構成されるテレビ会議システムに適用したが、適用対象は、テレビ会議システムに限定されない。上記実施の形態の技術思想は、ＰｉｎＰ機能を有する電子機器に適用できる。例えば、監視カメラと、監視カメラをコントロールする機器との組み合わせに適用することができる。
【００９１】
上記の実施形態では、表示装置３００は液晶ディスプレイ３５０等の表示デバイスを内部に備えたが、必ずしも表示デバイスを備える必要はない。表示装置３００は、映像信号を外部接続した表示デバイスに出力してもよい。すなわち、表示装置３００は、内部に備えた又は外部接続した表示デバイスで表示される画像を制御できる装置であればよい。
【００９２】
メイン画像は第１の画像の一例である。ＰｉｎＰ画像は第２の画像の一例である。コントローラ３１０は制御部の一例である。ＨＤＭＩインタフェース３２０は通信部の一例である。液晶ディスプレイ３５０は表示部の一例である。表示装置３００は表示制御装置の一例である。
【００９３】
以上のように、本開示における技術の例示として、実施の形態を説明した。そのために、添付図面および詳細な説明を提供した。
【００９４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９５】
また、上述の実施の形態は、本開示における技術を例示するためのものであるから、特許請求の範囲またはその均等の範囲において種々の変更、置き換え、付加、省略などを行うことができる。
【産業上の利用可能性】
【００９６】
本開示は、ＰｉｎＰ表示機能を制御する表示制御装置、表示制御システムに適用可能である。
【手続補正３】
【補正対象書類名】図面
【補正対象項目名】全図
【補正方法】変更
【補正の内容】
【図１】
2014010170.tif 000016
【図２】
2014010170.tif 000017
【図３】
2014010170.tif 000018
【図４】
2014010170.tif 000019
【図５】
2014010170.tif 000020
【図６】
2014010170.tif 000021
【図７】
2014010170.tif 000022
【図８】
2014010170.tif 000023
【図９】
2014010170.tif 000024
【図１０】
2014010170.tif 000025
【図１１】
2014010170.tif 000026
【図１２】
2014010170.tif 000027
【図１３】
2014010170.tif 000028
【国際調査報告】
2014010170.tif 000029
2014010170.tif 000030
2014010170.tif 000031
2014010170.tif 000032